(57)【特許請求の範囲】
【請求項１】
前後端を開口したリング状をなし、上部左右に前後を縦断する一対のヒンジ２を設けてその間を反転部3aに形成してなる枠３を備え、且つ反転部3a中央に基端を開口して上方へ有頂筒状のキャップ４を一体に立設してなる枠部材Ａと、反転部3aを反転下降させた枠３内に形通りの胴部５を嵌合させて、その側面両側を枠３の内面両側に枢着するとともに、胴部５上端中央より立設した口頚部６をキャップ４内に嵌合させ、先端の注出口７を液密に閉塞させてなる容器体Ｂとを備え、反転部3aを反転上昇させた際に、枠３に対して容器体Ｂの回動が可能となる如く構成してなることを特徴とする滴下容器。
【請求項２】
上記キャップ４に嵌合させた口頚部部分をキャップ内径より小径に形成するとともに、キャップ４の頂壁裏面中央より穿設した棒栓11を注出口７に密嵌させてなる請求項１記載の滴下容器。
【請求項３】
上記枠３の内周面を、中央部が凹んだ円弧面ｘに形成するとともに、容器体胴部５の外周面を、枠内周面の円弧面と嵌合する、中央部が突出した円弧面ｙに形成してなる請求項１記載の滴下容器。
【発明の詳細な説明】
【０００１】
【発明の属する技術分野】
本発明は滴下容器に関し、詳しくは、収納した液体を滴下分取可能に設けた滴下容器に関する。
【０００２】
【従来の技術】
収納液体を少量ずつ滴下分取して使用する滴下容器として、例えば目薬容器等が挙げられるが、これらは胴部より口頚部を起立するとともに、口頚部先端に注出ノズルを嵌着してなる容器体と、口頚部外周に周壁を嵌合させるとともに、周壁上端縁より頂壁を延設して着脱自在に装着したキャップとからなるものが極一般に知られている。
【０００３】
これら容器では、口頚部外周に螺着或いは突条相互の乗り越え係合により嵌合係止させてキャップを装着しており、キャップを外してノズルを注出対象物に向け、胴部を圧搾する等して収納液を滴下する如く構成している。
【０００４】
【発明が解決しようとする課題】
従来の容器のうちキャップを螺着させているものは、何回も回動させなければならない等その着脱が面倒であり、また、外したキャップを手に持って液の滴下を行わなければならない煩わしさもあり、それを何処かに置いておいて紛失する虞もある。
【０００５】
また、キャップを突条相互の乗り越え係合により嵌合係止させる如く構成したものでは、螺着の場合と比較してキャップの着脱が容易ではあるが、この場合、容器体胴部をもってキャップを引っ張る様に抜くため胴部に力が入り、キャップが外れた途端に液が注出口より漏出してしまうという様な不都合を生じる場合がある。また、同様に外したキャップを手に持って液を滴下しなければならず、紛失の虞も同様にある。
【０００６】
本発明はこの様な点を考慮してなされたもので、キャップの着脱が簡単に行えるとともに、その紛失の虞もなく、また、キャップを外した際に誤って液を漏出する等の不都合を生じる虞もなく、使勝手の極めて良い滴下容器を提案するものである。
【０００７】
【課題を解決するための手段】
本請求項１発明の容器は上記課題を解決するため、前後端を開口したリング状をなし、上部左右に前後を縦断する一対のヒンジ２を設けてその間を反転部3aに形成してなる枠３を備え、且つ反転部3a中央に基端を開口して上方へ有頂筒状のキャップ４を一体に立設してなる枠部材Ａと、反転部3aを反転下降させた枠３内に形通りの胴部５を嵌合させて、その側面両側を枠３の内面両側に枢着するとともに、胴部５上端中央より立設した口頚部６をキャップ４内に嵌合させ、先端の注出口７を液密に閉塞させてなる容器体Ｂとを備え、反転部3aを反転上昇させた際に、枠３に対して容器体Ｂの回動が可能となる如く構成してなることを特徴とする滴下容器として構成した。
【０００８】
また、請求項２発明の容器は、上記キャップ４に嵌合させた口頚部部分をキャップ内径より小径に形成するとともに、キャップ４の頂壁裏面中央より穿設した棒栓11を注出口７に密嵌させてなる請求項１記載の滴下容器として構成した。
【０００９】
また、請求項３発明の容器は、上記枠３の内周面を、中央部が凹んだ円弧面ｘに形成するとともに、容器体胴部５の外周面を、枠内周面の円弧面と嵌合する、中央部が突出した円弧面ｙに形成してなる請求項１記載の滴下容器として構成した。
【００１０】
【発明の実施の形態】
以下、本発明の実施例の形態を図面を参照して説明する。
本発明の滴下容器１は、枠部材Ａと、容器体Ｂとを備えている。
枠部材Ａは、例えば合成樹脂等を使用して射出成形等の方法により形成されたもので、前後端を開口したリング状をなし、上部左右に前後を縦断する一対のヒンジ２を設けてその間を反転部3aに形成してなる枠３を備えている。また、反転部3a中央に基端を開口して上方へ有頂筒状のキャップ４を一体に立設している。
【００１１】
容器体Ｂは、例えば合成樹脂等を使用してブロー成形等の方法により形成されたもので、反転部3aを反転下降させた枠３内に形通りの胴部５を嵌合させて、その側面両側を枠内面両側に枢着するとともに、胴部上端中央より立設した口頚部６をキャップ４内に嵌合させ、先端の注出口７を液密に閉塞させている。
【００１２】
そして、反転部3aを反転上昇させた際に、枠３に対して容器体Ｂの回動が可能となる如く構成している。その為には、例えば、容器体Ｂの口頚部６或いは後述のノズルを嵌着したものにあっては口頚部６とノズルとの先端が、枠３の中心部から半径の距離を越えない位置にあることが必要である。
【００１３】
図示例では、枠３内面左右より枢着用の突部８をそれぞれ突設し、また、容器体胴部５の側面左右にそれぞれ凹部９を凹設し、各突部８を各凹部９に回動可能に嵌合させて枢着させている。
【００１４】
また、注出口７は、口頚部６の先端をそのまま注出口として使用しても、或いは図示例の如く、口頚部６上端にノズル10を嵌着して使用しても良い。該ノズルは、例えば、小径化した口頚部上部外周に嵌合させた周壁上端縁より、中央部に透孔を穿設した頂壁を延設して構成する。また、注出口７のキャップ４による液密閉塞は、口頚部或いはノズルをキャップ４の周壁に密嵌させることにより行っても良いが、図示例の如く、キャップ内に嵌合させた口頚部部分をキャップ４内径より小径に形成するとともに、キャップ４の頂壁裏面中央より穿設した棒栓11を注出口７に密嵌させて注出口７を液密に閉塞させることにより、良好な液密性と、より容易なキャップの着脱を行える利点を得られる。
【００１５】
また、枠３の内周面を、中央部が凹んだ円弧面ｘに形成するとともに、容器体胴部５の外周面を、枠内周面の円弧面ｘと嵌合する、中央部が突出した円弧面ｙに形成しており、この様に構成することにより、キャップ４を口頚部６より外した際に容器体Ｂが勝手に回動することを防止し、或いは、容器体Ｂを枠３に対して回動させた際に、両者が摩擦で固定されてぶらぶらしない様に構成している。
【００１６】
上記の如く構成した容器を使用する場合は、例えば、図１の状態からキャップ４を引き上げて反転部3aを上方へ反転させると、注出口７が開口し、容器体Ｂが枠３に対して回動可能となる。次いで、容器体Ｂを枠部材Ａに対し回動させて収納液の注出可能状態にした後、胴部５を圧搾する等して液の滴下を行う。
【００１７】
使用後は、枠３を胴部５に対して回動して胴部外周に嵌合させ、次いで、キャップ４を押し下げて反転部3aを下方へ弾性反転させ、元の状態とする。
尚、図中12は指掛け用のフランジを示す。
【００１８】
【発明の効果】
以上説明した如く、本発明容器は、既述構成としたことにより、例えば、反転部を反転上昇させた後容器体を枠体に対して回動させるという簡単な操作で液の滴下を行え、従来容器の如くキャップを持って行う煩わしさもなく、また、キャップを紛失する等の不都合を生じることもなく、使用上すこぶる便利である。
また、開蓋の際枠部分をもって行えるため、注出口の密閉部分が比較的固く嵌合されていても、不必要に胴部を圧搾して液の漏出を生じる虞はない。
【００１９】
また、キャップ内へ嵌合させた口頚部部分をキャップ内径より小径に形成するとともに、キャップの頂壁裏面中央より穿設した棒栓を注出口に密嵌させてなるものにあっては、注出口の開閉がより容易に行えるとともに、その密閉性もより確実に行えるという利点を兼ね備えている。
【００２０】
更に、枠の内周面を、中央部が凹んだ円弧面に形成するとともに、容器体胴部の外周面を、枠内周面の円弧面と嵌合する、中央部が突出した円弧面に形成してなるものにあっては、反転壁を反転上昇させた際に容器体が勝手に回動して液の漏出をおこす様な不都合を生じる虞はなく、また、容器体を枠に対して回動させた際に両者が摩擦力で固定されて、点眼時に枠がぶらぶらすることがないという特有の効果を併せて発揮するものである。
【図面の簡単な説明】
【図１】本発明の一実施例を示す一部切欠き正面図である。
【図２】同実施例の分解斜視図である。
【図３】同実施例の開蓋状態の側面図である。
【符号の説明】
２…ヒンジ，３…枠，3a…反転部，４…キャップ，５…胴部，６…口頚部，
７…注出口，11…棒栓，Ａ…枠部材，Ｂ…容器体，ｘ…円弧面，
ｙ…円弧面
【図１】
0003740628.tif 000002
【図２】
0003740628.tif 000003
【図３】
0003740628.tif 000004